(57)【要約】【課題】適切な掃除の時期を報知して掃除をすることにより、電動機の消費電力の増加を抑制でき、送風装置の換気能力の低下を防止するのに効果のある送風装置を提供することを目的とする。【解決手段】吸込口５を有したスクロール形状のケーシング６と、回転軸１３を中心に回転駆動してケーシング６内に送風を行う遠心羽根車９とを備えた遠心送風機１において、遠心羽根車９に付着した汚れを検出する汚れ検出手段と、前記汚れ検出手段の検出値に基づいて汚れ度合いを判定する汚れ判定手段と、前記汚れ判定手段の判定結果に基づいて掃除の時期を報知する報知手段とを備えた送風装置。【選択図】図１
2010242627.tif 000002
【特許請求の範囲】
【請求項１】
吸込口を有したスクロール形状のケーシングと、前記ケーシング内に送風を行うブレードと主板を備えた羽根車と、前記羽根車を回転駆動する電動機を備えた送風装置において、前記羽根車に付着した汚れを検出する汚れ検出手段と、前記汚れ検出手段の検出値に基づいて汚れ度合いを判定する汚れ判定手段と、前記汚れ判定手段の判定結果に基づいて掃除の時期を報知する報知手段とを備えたことを特徴とする送風装置。
【請求項２】
汚れ検出手段は、羽根車に向けて光を照射する発光手段と、前記発光手段から照射された光を受ける受光手段を有することを特徴とする請求項１に記載の送風装置。
【請求項３】
汚れ検出手段は、発光手段から照射された光を反射する反射手段を有し、汚れ判定手段は、前記反射手段によって反射され、受光手段で受けた光の光量に基づいて前記羽根車の汚れ度合いを判定することを特徴とする請求項２に記載の送風装置。
【請求項４】
反射手段を、羽根車のブレードの正圧側に備えたことを特徴とする請求項３に記載の送風装置。
【請求項５】
反射手段を、羽根車のブレード間の主板に備えたことを特徴とする請求項３に記載の送風装置。
【請求項６】
汚れ判定手段は、発光手段から照射された光の光量と、受光手段の光の光量との差に基づいて羽根車の汚れ度合いを判定することを特徴とする請求項３〜５いずれかに記載の送風装置。
【請求項７】
汚れ判定手段は、受光手段で受けたの光の光量の経時変化に基づいて羽根車の汚れ度合いを判定することを特徴とする請求項３〜５いずれかに記載の送風装置。
【請求項８】
汚れ判定手段は、発光手段から照射され、羽根車を透過し受光手段で受けた光の光量に基づいて前記羽根車の汚れ度合いを判定することを特徴とする請求項２に記載の送風装置。
【請求項９】
発光手段を羽根車のブレード内周側空間に配置し、受光手段を前記羽根車のブレード外周側空間に配置したことを特徴とする請求項８に記載の送風装置。
【請求項１０】
発光手段を羽根車のブレード外周側空間に配置し、受光手段を前記羽根車のブレード内周側空間に配置したことを特徴とする請求項８に記載の送風装置。
【請求項１１】
発光手段を羽根車のブレード外周側空間に配置し、受光手段を前記羽根車を介して前記発光手段に対向するように配置したことを特徴とする請求項８に記載の送風装置。
【請求項１２】
汚れ判定手段は、発光手段より照射された光の光量と、前記発光手段より照射された光が羽根車を透過したことによる透過光の光量との差に基づいて羽根車の汚れ度合いを判定することを特徴とする請求項８〜１１いずれかに記載の送風装置。
【請求項１３】
汚れ検出手段は、発光手段から照射され、羽根車を透過し受光手段で受けた透過光の光量の経時変化に基づいて羽根車の汚れ度合いを判定することを特徴とする請求項８〜１１いずれかに記載の送風装置。
【請求項１４】
発光手段を、発光ダイオードで構成したことを特徴とする請求項２〜１３いずれかに記載の送風装置。
【請求項１５】
汚れ検出手段は、送風装置の運転時間を積算する積算手段を備え、汚れ判定手段は、前記積算手段の積算値に基づいて羽根車の汚れ度合いを判定することを特徴とする請求項１に記載の送風装置。
【請求項１６】
汚れ検出手段は、送風装置の送風量を測定する風量測定手段を備え、汚れ判定手段は、前記風量測定手段の測定値に基づいて羽根車の汚れ度合いを判定することを特徴とする請求項１に記載の送風装置。
【発明の詳細な説明】
【技術分野】
【０００１】
本発明は、換気空調機器等に使用される、送風装置に関するものである。
【背景技術】
【０００２】
従来、この種の送風装置は、天井等に本体を設置し、ダクトを介して屋外と連通し室内の汚染空気を屋外に排出する天井埋込型換気扇が知られている（例えば、特許文献１参照）。
【０００３】
以下、その送風装置について図１１を参照しながら説明する。図に示すように、下面にグリル１０１で覆われる吸込口１０２を有し、側面に吹出口１０３を設けた箱状のフレーム１０４と、屋外と連通するダクト１０５を接続するアダプター１０６と、フレーム１０４の内部には下面に吸込口であるオリフィス１０７を有したスクロール形状のケーシング１０８と、ケーシング１０８内に送風を行う遠心送風羽根１０９と、遠心送風羽根１０９を回転駆動する電動機１１０を備え構成している。
【特許文献１】特開２００３−０６５５８１号公報
【発明の開示】
【発明が解決しようとする課題】
【０００４】
このような従来の送風装置では、徐々に送風装置内部の羽根車に汚れが付着し、適切な掃除の時期がわかりにくいため、羽根車のブレード間に汚れが堆積する。その結果、風が通りにくくなり、適切な換気が行えず送風装置の換気能力が低下するとともに、電動機への負荷が増加するため電動機の消費電力も大きくなるという課題があった。
【０００５】
本発明は、このような従来の課題を解決するものであり、適切な掃除の時期を報知して掃除をすることにより、電動機の消費電力の増加を抑制でき、送風装置の換気能力の低下を防止するのに効果のある送風装置を提供することを目的としている。
【課題を解決するための手段】
【０００６】
本発明の送風装置は上記目的を達成するために、吸込口を有したスクロール形状のケーシングと、前記ケーシング内に送風を行うブレードと主板を備えた羽根車と、前記羽根車を回転駆動する電動機を備えた送風装置において、前記羽根車に付着した汚れを検出する汚れ検出手段と、前記汚れ検出手段の検出値に基づいて汚れ度合いを判定する汚れ判定手段と、前記汚れ判定手段の判定結果に基づいて掃除の時期を報知する報知手段とを備えたことを特徴とする送風装置としたものである。
【０００７】
羽根車に付着した汚れを検出し、適切な掃除の時期を報知して掃除をすることにより、電動機の消費電力の増加を抑制でき、送風装置の換気能力の低下を防止することができる送風装置が得られる。
【０００８】
また他の手段は、汚れ検出手段は、羽根車に向けて光を照射する発光手段と、前記発光手段から照射された光を受ける受光手段を有することを特徴とする送風装置としたものである。
【０００９】
この手段により、発光手段から照射された光が羽根車を介して受光手段に入るとき、羽根車の汚れ度合いに応じて受光する光量が変化することに基づいて汚れ度合いを検出することにより、汚れ検出手段を容易に構成することができる送風装置が得られる。
【００１０】
また他の手段は、汚れ検出手段は、発光手段から照射された光を反射する反射手段を有し、汚れ判定手段は、前記反射手段によって反射され、受光手段で受けた光の光量に基づいて前記羽根車の汚れ度合いを判定することを特徴とする送風装置としたものである。
【００１１】
この手段により、発光手段が羽根車に向けて照射した光の反射量を受光手段で検出することにより、羽根車の汚れ度合いを容易に判定することができる送風装置が得られる。
【００１２】
また他の手段は、反射手段を、羽根車のブレードの正圧側に備えたことを特徴とする送風装置としたものである。
【００１３】
この手段により、羽根車のブレードの正圧側に汚れが多く付着するので、反射手段をブレードの正圧側に備えることで、羽根車の一番汚れの付着し易い部分の汚れ度合いを直接検出することができる送風装置が得られる。
【００１４】
また他の手段は、反射手段を、羽根車のブレード間の主板に備えたことを特徴とする送風装置としたものである。
【００１５】
この手段により、反射手段をブレード正圧側に設けた場合と異なり、反射光を直接受光手段で受けることができるので、汚れ度合いを精度よく検出することができる送風装置が得られる。
【００１６】
また他の手段は、汚れ判定手段は、発光手段から照射された光の光量と、受光手段の光の光量との差に基づいて羽根車の汚れ度合いを判定することを特徴とする送風装置としたものである。
【００１７】
この手段により、反射光の光量は羽根車表面の汚れ度合いにより変化するので、発光手段より照射された光の光量との差に基づいて汚れ度合いを判定することで、汚れ度合いを精度よく検出することができる送風装置が得られる。
【００１８】
また他の手段は、汚れ判定手段は、受光手段で受けたの光の光量の経時変化に基づいて羽根車の汚れ度合いを判定することを特徴とする送風装置としたものである。
【００１９】
この手段により、反射光の光量は羽根車表面の汚れ度合いにより変化するため、時間の経過とともに汚れの付着が多くなると反射光の光量も小さくなることに基づいて汚れ度合いを判定することで、汚れ度合いを精度よく検出することができる送風装置が得られる。
【００２０】
また他の手段は、汚れ判定手段は、発光手段から照射され、羽根車を透過し受光手段で受けた光の光量に基づいて前記羽根車の汚れ度合いを判定することを特徴とする送風装置としたものである。
【００２１】
この手段により、発光手段が羽根車に向けて照射した光の透過量を受光手段で検出することにより、羽根車の汚れ度合いを容易に判定することができる送風装置が得られる。
【００２２】
また他の手段は、発光手段を羽根車のブレード内周側空間に配置し、受光手段を、前記羽根車のブレード外周側空間に配置したことを特徴とする送風装置としたものである。
【００２３】
この手段により、発光手段はケーシング内の略全周を照らすことができるので、受光手段の前記ブレード外周側空間への配置の制限を少なくできる送風装置が得られる。
【００２４】
また他の手段は、発光手段を羽根車のブレード外周側空間に配置し、受光手段を、前記羽根車のブレード内周側空間に配置したことを特徴とする送風装置としたものである。
【００２５】
この手段により、受光手段の電装部の一部を電動機と共有化し、受光手段の省スペース化を実現できる送風装置が得られる。
【００２６】
また他の手段は、発光手段を羽根車のブレード外周側空間に配置し、受光手段を、前記羽根車を介して前記発光手段に対向するように配置したことを特徴とする送風装置としたものである。
【００２７】
この手段により、例えば透過光は羽根車の主板を透過することなく受光手段に入るので、主板の形状が制限されず、透過光の光量の低下も小さいので、汚れ度合いを精度よく検出することができる送風装置が得られる。
【００２８】
また他の手段は、汚れ判定手段は、発光手段より照射された光の光量と、前記発光手段より照射された光が羽根車を透過したことによる透過光の光量との差に基づいて羽根車の汚れ度合いを判定することを特徴とする送風装置としたものである。
【００２９】
この手段により、透過光の光量は、羽根車のブレードに付着した汚れ度合いにより変化するため、発光手段より照射した光の光量と、透過光の光量の差に基づいて汚れ度合いを判定することで、汚れ度合いを精度よく検出することができる送風装置が得られる。
【００３０】
また他の手段は、汚れ検出手段は、発光手段から照射され、羽根車を透過し受光手段で受けた透過光の光量の経時変化に基づいて羽根車の汚れ度合いを判定することを特徴とする送風装置としたものである。
【００３１】
この手段により、透過光の光量は、羽根車のブレードに付着した汚れ度合いにより変化するため、時間の経過とともに汚れの付着が多くなると透過光も小さくなることに基づいて汚れ度合いを判定することで、汚れを精度よく検出することができる送風装置が得られる。
【００３２】
また他の手段は、発光手段を、発光ダイオードで構成したことを特徴とする送風装置としたものである。
【００３３】
この手段により、発光手段に発光ダイオードを用いることで、発光手段を長寿命化できる送風装置が得られる。
【００３４】
また他の手段は、汚れ検出手段は、送風装置の運転時間を積算する積算手段を備え、汚れ判定手段は、前記積算手段の積算値に基づいて羽根車の汚れ度合いを判定することを特徴とする送風装置としたものである。
【００３５】
この手段により、送風装置の運転の積算時間と、羽根車の汚れ度合いの関係から、羽根車の汚れ度合いを容易に判定することができる送風装置が得られる。
【００３６】
また他の手段は、汚れ検出手段は、送風装置の送風量を測定する風量測定手段を備え、汚れ判定手段は、前記風量測定手段の測定値に基づいて羽根車の汚れ度合いを判断することを特徴とする送風装置としたものである。
【００３７】
この手段により、羽根車表面に付着した汚れによる風量が低下と、汚れ度合いの関係から、羽根車の汚れ度合いを容易に判定することができる送風装置が得られる。
【発明の効果】
【００３８】
本発明によれば、適切な掃除の時期を報知して掃除をすることにより、電動機の消費電力の増加を抑制でき、送風装置の換気能力の低下を防止するのに効果のある送風装置を提供できる。
【発明を実施するための最良の形態】
【００３９】
本発明の請求項１記載の発明は、吸込口を有したスクロール形状のケーシングと、前記ケーシング内に送風を行うブレードと主板を備えた羽根車と、前記羽根車を回転駆動する電動機を備えた送風装置において、前記羽根車に付着した汚れを検出する汚れ検出手段と、前記汚れ検出手段の検出値に基づいて汚れ度合いを判定する汚れ判定手段と、前記汚れ判定手段の判定結果に基づいて掃除の時期を報知する報知手段とを備えたことを特徴とする送風装置としたものであり、羽根車に付着した汚れ度合いを検出し、適切な掃除の時期を報知して掃除をすることにより、電動機の消費電力の増加を抑制でき、送風装置の換気能力の低下を防止することができるという作用を有する。
【００４０】
また、汚れ検出手段は、羽根車に向けて光を照射する発光手段と、前記発光手段から照射された光を受ける受光手段を有することを特徴とする送風装置としたものであり、発光手段から照射された光が羽根車を介して受光手段に入るとき、羽根車の汚れ度合いに応じて受光する光量が変化することに基づいて汚れ度合いを検出することにより、汚れ検出手段を容易に構成することができるという作用を有する。
【００４１】
また、汚れ検出手段は、発光手段から照射された光を反射する反射手段を有し、汚れ判定手段は、前記反射手段によって反射され、受光手段で受けた光の光量に基づいて前記羽根車の汚れ度合いを判定することを特徴とする送風装置としたものであり、発光手段が羽根車に向けて照射した光の反射量を受光手段で検出することにより、羽根車の汚れ度合いを容易に判定することができるという作用を有する。
【００４２】
また、反射手段を、羽根車のブレードの正圧側に備えたことを特徴とする送風装置としたものであり、羽根車のブレードの正圧側に汚れが多く付着するので、反射手段をブレードの正圧側に備えることで、羽根車の一番汚れの付着し易い部分の汚れ度合いを直接検出することができるという作用を有する。
【００４３】
また、反射手段を、羽根車のブレード間の主板に備えたことを特徴とする送風装置としたものであり、反射手段をブレード正圧側に設けた場合と異なり、反射光を直接受光手段で受けることができるので、汚れ度合いを精度よく検出することができるという作用を有する。
【００４４】
また、汚れ判定手段は、発光手段から照射された光の光量と、受光手段の光の光量との差に基づいて羽根車の汚れ度合いを判定することを特徴とする送風装置としたものであり、反射光の光量は羽根車表面の汚れ度合いにより変化するので、発光手段より照射された光の光量との差に基づいて汚れ度合いを判定することで、汚れ度合いを精度よく検出することができるという作用を有する。
【００４５】
また、汚れ判定手段は、受光手段で受けたの光の光量の経時変化に基づいて羽根車の汚れ度合いを判定することを特徴とする送風装置としたものであり、反射光の光量は羽根車表面の汚れ度合いにより変化するため、時間の経過とともに汚れの付着が多くなると反射光の光量も小さくなることに基づいて汚れ度合いを判定することで、汚れ度合いを精度よく検出することができるという作用を有する。
【００４６】
また、汚れ判定手段は、発光手段から照射され、羽根車を透過し受光手段で受けた光の光量に基づいて前記羽根車の汚れ度合いを判定することを特徴とする送風装置としたものであり、発光手段が羽根車に向けて照射した光の透過量を受光手段で検出することにより、羽根車の汚れ度合いを容易に判定することができるという作用を有する。
【００４７】
また、発光手段を羽根車のブレード内周側空間に配置し、受光手段を、前記羽根車のブレード外周側空間に配置したことを特徴とする送風装置としたものであり、発光手段はケーシング内の略全周を照らすことができるので、受光手段の前記ブレード外周側空間への配置の制限を少なくできるという作用を有する。
【００４８】
また、発光手段を羽根車のブレード外周側空間に配置し、受光手段を、前記羽根車のブレード内周側空間に配置したことを特徴とする送風装置としたものであり、受光手段の電装部の一部を電動機と共有化し、受光手段の省スペース化を実現できるという作用を有する。
【００４９】
また、発光手段を羽根車のブレード外周側空間に配置し、受光手段を、前記羽根車を介して前記発光手段に対向するように配置したことを特徴とする送風装置としたものであり、例えば透過光は羽根車の主板を透過することなく受光手段に入るので、主板の形状が制限されず、透過光の光量の低下も小さいので、汚れ度合いを精度よく検出することができるという作用を有する。
【００５０】
また、汚れ判定手段は、発光手段より照射された光の光量と、前記発光手段より照射された光が羽根車を透過したことによる透過光の光量との差に基づいて羽根車の汚れ度合いを判定することを特徴とする送風装置としたものであり、透過光の光量は、羽根車のブレードに付着した汚れの度合いにより変化するため、発光手段より照射した光の光量と、透過光の光量の差に基づいて汚れ度合いを判定することで、汚れ度合いを精度よく検出することができるという作用を有する。
【００５１】
また、汚れ検出手段は、発光手段から照射され、羽根車を透過し受光手段で受けた透過光の光量の経時変化に基づいて羽根車の汚れ度合いを判定することを特徴とする送風装置としたものであり、透過光の光量は、羽根車のブレードに付着した汚れ度合いにより変化するため、時間の経過とともに汚れの付着が多くなると透過光も小さくなることに基づいて汚れ度合いを判定することで、汚れ度合いを精度よく検出することができるという作用を有する。
【００５２】
また、発光手段を、発光ダイオードで構成したことを特徴とする送風装置としたものであり、発光手段に発光ダイオードを用いることで、発光手段を長寿命化できるという作用を有する。
【００５３】
また、汚れ検出手段は、送風装置の運転時間を積算する積算手段を備え、汚れ判定手段は、前記積算手段の積算値に基づいて羽根車の汚れ度合いを判定することを特徴とする送風装置としたものであり、送風装置の運転の積算時間と、羽根車の汚れ度合いの関係から、羽根車の汚れ度合いを容易に判定することができるという作用を有する。
【００５４】
また、汚れ検出手段は、送風装置の送風量を測定する風量測定手段を備え、汚れ判定手段は、前記風量測定手段の測定値に基づいて羽根車の汚れ度合いを判定することを特徴とする送風装置としたものであり、羽根車表面に付着した汚れによる風量が低下と、汚れ度合いの関係から、羽根車の汚れ度合いを容易に判定することができるという作用を有する。
【００５５】
以下、本発明の実施の形態について図面を参照しながら説明する。
【００５６】
（実施の形態１）
本発明の実施の形態１を図１、図２、図３、図４および図５を用いて説明する。
【００５７】
図１に示すように、例えば、浴室やトイレなどの空間を換気するために天井に取り付けられる天井埋込型換気扇として使用される遠心送風機１は、フレーム４と、フレーム４の内部に備わる遠心羽根車９と、遠心羽根車９の回転軸１３を中心にベルマウス状の吸込口５を備えたスクロール状のケーシング６と、フレーム４の側面３の開口を介して連通するアダプター２と、制御装置８を備えた構成となっている。
【００５８】
また、図２と図３に示すように、フレーム４は、下面７と、一部分が開口した側面３とから構成され、電動機１０は、フレーム４に固定される平板状の天板１１に固定され、遠心羽根車９は、電動機１０に回転可能に固定され、主板１９とブレード１７のブレード正圧側面１８に反射部材として例えば、反射テープ１４を備えた構成となっている。
【００５９】
また、図２に示すように、発光手段１５から照射された光が反射テープ１４で反射し、遠心羽根車９などで反射しながら受光手段１６に反射した光が入る構成となっている。
【００６０】
また、図４は制御装置８の構成を示すブロック図で、図４に示すように、制御装置８は、発光手段１５（例えば、発光ダイオード）と、受光手段１６（例えば、受光センサー）と、報知手段２０（例えば、ブザー）と、汚れ判定手段３０と、発光手段１５と受光手段１６と報知手段２０と汚れ判定手段３０を制御するためのマイコン２１とを備えており、マイコン２１は、受光手段１６で受けた反射光の光量に基づいて、発光手段１５から照射された光の光量との差から汚れ判定手段３０により汚れを判定し、報知手段２０により掃除を知らせる構成となっている。
【００６１】
上記構成により、電動機１０から駆動力を与えて遠心羽根車９を回転させることにより、吸込み空気がフレーム４の下面７の開口とケーシング６の吸込口５を通って遠心羽根車９に導かれて昇圧され、ケーシング６を通る際に徐々に動圧が静圧に変換され、吐出口１２からアダプター２を介して外部へ排出される。
【００６２】
このとき運転時間の経過に従い、遠心羽根車９には空気中に含まれる汚れが付着し、反射テープ１４にも汚れが付着していく。汚れが付着して堆積するにつれて、反射テープ１４より反射した光の光量は徐々に小さくなり、発光手段１５から照射された光の光量との差の値は大きくなる。
【００６３】
汚れ判定手段３０には掃除が必要と判定する設定値を記憶させており、例えば、発光手段１５から照射された光の光量が５０ｍｃｄだったものが、汚れの堆積のため受光手段により受光した光の光量が３０ｍｃｄになった場合、汚れ判定手段３０は、測定した光量差２０ｍｃｄの値と記憶させた設定値とを比較して、掃除が必要かどうか判定する。
【００６４】
測定した光量差２０ｍｃｄの値が記憶させた設定値（例えば１５ｍｃｄ）より大きく、掃除が必要と判定した場合には、マイコン２１より制御された報知手段２０を起動して、汚れが堆積したことを報知して掃除をすることで、電動機１０の消費電力の増加を抑制でき、遠心送風機１の換気能力の低下を防止することができる。
【００６５】
以上のように、発光手段１５が遠心羽根車９に向けて照射した光の反射量を受光手段１６で検出することにより、遠心羽根車９の汚れ度合いを容易に判定することができる。
【００６６】
また、図３に示すように、遠心羽根車９は図示した回転方向に回転するためブレード正圧側面１８に汚れが多く付着するので、反射テープ１４をブレードの正圧側に備えることで、反射テープ１４にも汚れが付着し易く、汚れによる反射光の光量差が大きくなり、遠心羽根車９の汚れ度合いを容易に検出することができる。また、発光手段１５は、発光ダイオードで構成したことで、発光手段１５を長寿命化できる。
【００６７】
また、発光手段１５の発光の時間は、電動機１０の駆動とともに発光させてもよいが、省エネの観点からは、２４時間連続運転の場合には、例えば一週間に一回光量が安定する時間（数分間）でもよく、断続運転の場合は、運転開始時数分間でもよい。
【００６８】
なお、本発明の実施の形態１では、反射テープ１４をブレード正圧側面１８に備えたが、図５と図６に示すように、反射テープ１４をブレード１７間の主板１９に備えた場合には、反射手段をブレード正圧側に設けた場合と異なり、反射光を直接受光手段で受けることができるので、汚れ度合いをより精度よく検出することができる。
【００６９】
なお、本発明の実施の形態１では、反射光の光量は遠心羽根車９の汚れ度合いにより変化するので、発光手段１５より照射された光の光量との差に基づいて汚れ度合いを判定したが、発光手段１５を連続的に発光させ反射される光の光量の経時変化に基づいて遠心羽根車９の汚れを判定すれば、汚れをより精度よく検出することができる。
【００７０】
なお、本実施の形態では発光手段１５を電動機１０停止時に発光させることにより、下からの点検掃除を行う際の補助照明として使用することもできる。
【００７１】
（実施の形態２）
実施の形態１と同一部分は同一番号を附し、詳細な説明は省略する。
【００７２】
本発明の実施の形態２は、図７に示すように制御装置２２をケーシング６の内周側空間に配置した構成となっている。
【００７３】
また、発光手段１５は、受光手段１６に向かって照射するように照射方向を調節して設けており、受光手段１６は、発光手段１５から照射された光の光量を検出する構成となっている。
【００７４】
また、マイコン２１は、受光手段１６で受けた透過光の光量に基づいて、発光手段１５から照射された光の光量との差から汚れ判定手段３０により汚れを判定し、報知手段２０により掃除を知らせる構成となっている。
【００７５】
上記構成により、遠心羽根車９に汚れが堆積すると、発光手段１５から照射された光が遠心羽根車９を透過する光の光量は徐々に小さくなり、発光手段１５から照射された光の光量との差が大きくなる。
【００７６】
汚れ判定手段３０には掃除が必要と判定する設定値が記憶されており、例えば、発光手段１５から照射された光の光量が５０ｍｃｄだったものが、汚れの堆積のため受光手段により受光した光の光量が３０ｍｃｄになった場合、汚れ判定手段３０は、測定した光量差２０ｍｃｄの値と記憶させた設定値とを比較して、掃除が必要かどうか判定する。
【００７７】
測定した光量差２０ｍｃｄの値が記憶させた設定値（例えば１５ｍｃｄ）より大きく、掃除が必要と判定した場合には、マイコン２１より制御された報知手段を起動して、汚れが堆積したことを報知して掃除をすることで、電動機１０の消費電力の増加を抑制でき、遠心送風機１の換気能力の低下を防止することができる。
【００７８】
以上のように、発光手段１５が遠心羽根車９に向けて照射した光の透過量を受光手段１６で検出することにより、遠心羽根車９の汚れ度合いを容易に判定することができる。
【００７９】
また、透過光の光量は、発光手段１５はケーシング６内の略全周を照らすことができるので、受光手段１６のブレード１７外周側空間への配置の制限を少なくできる。
【００８０】
また、発光手段１５は、発光ダイオードを備えたことで、発光手段１５を長寿命化できる。
【００８１】
また、発光手段１５の発光の時間は、電動機１０の駆動とともに発光させてもよいが、省エネの観点からは、２４時間連続運転の場合には、例えば一週間に一回光量が安定する時間（数分間）でもよく、断続運転の場合は、運転開始時数分間でもよい。
【００８２】
なお、本発明の実施の形態２では、発光手段１５を、ブレード１７の内周側空間の電動機１０に配置し、制御装置２２をケーシング６の内周側空間に配置したが、図８に示すように、発光手段１５を、ケーシング６の外周側空間に配置し、制御装置２２をブレード１７の内周側空間の電動機１０に配置した場合、制御装置２２の一部分を電動機１０と共有化することにより制御装置の省スペース化ができる。
【００８３】
なお、本発明の実施の形態２では、発光手段１５を、ブレード１７の内周側空間の電動機１０に配置し、制御装置２２をケーシング６の内周側空間に配置したが、図９に示すように、発光手段１５を、ケーシング６の外周側空間に配置し、遠心羽根車９を介して、発光手段１５に対向するケーシング６の外周側空間に制御装置２２を配置した場合、透過光は主板１９の影響を受けないため光量の減少が小さく、汚れ度合いをより精度よく検出することができる。
【００８４】
なお、本発明の実施の形態２では、遠心羽根車９のブレード１７に付着した汚れの度合いにより変化するため、発光手段１５より照射した光の光量と、透過光の光量の差に基づいて汚れ度合いを判定したが、発光手段１５を連続的に発光させ透過光の光量の経時変化に基づいて遠心羽根車９の汚れを判定すれば、汚れをより精度よく検出することができる。
【００８５】
なお、本実施の形態では、発光手段１５を電動機１０停止時に発光させることにより、下からの点検掃除を行う際の補助照明として使用することもできる。
【００８６】
（実施の形態３）
実施の形態１または２と同一部分は同一番号を附し、詳細な説明は省略する。
【００８７】
本発明の実施の形態３は、図１０に示すように、制御装置２５を備えた構成となっている。
【００８８】
また、図１１は制御装置２５の構成を示すブロック図で、図１１に示すように、制御装置２５は、例えばマイコンなどの内部に構成される積算手段２３と、報知手段２０と、汚れ度合いを判定する汚れ判定手段２６と、積算手段２３と報知手段２０と汚れ判定手段２６を制御するためのマイコン２４とを備えており、マイコン２４は、積算手段２３の運転時間の積算値に基づいて遠心羽根車９の汚れ度合いを汚れ判定手段２６により判定し、報知手段２０により掃除を知らせる構成となっている。
【００８９】
また、積算手段２３は、操作スイッチ３１のＯＮ／ＯＦＦに基づいて運転時間を積算する構成となっている。
【００９０】
上記構成により、汚れ判定手段２６には掃除が必要と判定する設定値を記憶させており、例えば、操作スイッチ３１のＯＮ／ＯＦＦによる運転時間の積算値が１日１２時間稼動で３０日分の３６０時間とした場合、汚れ判定手段２６は、測定した積算時間と記憶させた設定値とを比較して、掃除が必要かどうか判断する。測定した積算時間が記憶させた設定値（例えば３６０時間）より大きく掃除が必要と判断した場合には、マイコン２４より制御された報知手段２０を起動して、汚れが堆積したことを報知して掃除をすることで、電動機１０の消費電力の増加を抑制でき、遠心送風機１の換気能力の低下を防止することができる。
【００９１】
以上のように、積算手段２３を備えたことにより、遠心送風機１の運転の積算時間と、遠心羽根車９の汚れ度合いの関係から、遠心羽根車９の汚れを容易に判定することができる。
【００９２】
（実施の形態４）
実施の形態１乃至３と同一部分は同一番号を附し、詳細な説明は省略する。
【００９３】
本発明の実施の形態４は、図１２に示すように、アダプター２の内周側空間壁面に、制御装置２９とを備えた構成となっている。
【００９４】
また、図１３は制御装置２９の構成を示すブロック図で、図１３に示すように、制御装置２９は、風量測定手段２７（例えば、風量測定センサー）と、報知手段２０と、汚れ判定手段３２と、風量測定手段２７と報知手段２０と汚れ判定手段３２を制御するためのマイコン２８をと備えており、マイコン２８は、風量測定手段２７より検出した遠心送風機１の風量に基づいて、初期風量との差から汚れ判定手段３２により汚れを判定し、報知手段２０により掃除を知らせる構成となっている。
【００９５】
風量測定手段２７は、遠心送風機１の風量を測定する構成となっている。
【００９６】
上記構成により、遠心送風機１は運転し続けることにより、遠心羽根車９に汚れが堆積する。汚れ判定手段３２には掃除が必要と判定する設定値を記憶させており、例えば、初期の風量が１００ｍ3／ｈだったものが、汚れの堆積のため６０ｍ3／ｈに低下した場合、汚れ判定手段３２は、測定した風量の差４０ｍ3／ｈの値と記憶させた設定値とを比較して、掃除が必要かどうか判定する。測定した風量差４０ｍ３／ｈの値が、記憶させた設定値（例えば３０ｍ3／ｈ）より大きく、掃除が必要と判定した場合には、マイコン２８より制御された報知手段２０を起動して、汚れが堆積したことを報知して掃除をすることで、電動機１０の消費電力の増加を抑制でき、遠心送風機１の換気能力の低下を防止することができる。
【００９７】
以上のように、風量測定手段２７を備えたことにより、遠心羽根車９に付着した汚れによる風量の低下と汚れ度合いの関係から、遠心羽根車９の汚れを容易に判定することができる。
【産業上の利用可能性】
【００９８】
本発明は、適切な換気ができ、エネルギーロスを抑制でき、送風装置の換気能力の低下を防止するのに効果のある送風装置を提供するものであり、特に換気空調機器等に使用される、送風装置に利用可能である。
【図面の簡単な説明】
【００９９】
【図１】本発明の実施の形態１の遠心送風機を示す斜視図
【図２】本発明の実施の形態１の遠心送風機を示す側断面図
【図３】本発明の実施の形態１の遠心送風機の遠心羽根車を示す軸方向に垂直な断面図
【図４】本発明の実施の形態１の制御装置のブロック図
【図５】本発明の実施の形態１の遠心送風機を示す側断面図
【図６】本発明の実施の形態１の遠心送風機の遠心羽根車を示す軸方向に垂直な断面図
【図７】本発明の実施の形態２の遠心送風機を示す側断面図
【図８】本発明の実施の形態２の遠心送風機を示す側断面図
【図９】本発明の実施の形態２の遠心送風機を示す側断面図
【図１０】本発明の実施の形態３の遠心送風機を示す側断面図
【図１１】本発明の実施の形態３の制御装置のブロック図
【図１２】本発明の実施の形態４の遠心送風機を示す側断面図
【図１３】本発明の実施の形態４の制御装置のブロック図
【図１４】従来の遠心送風機とを示す側断面図
【符号の説明】
【０１００】
１    遠心送風機
２    アダプター
３    側面
４    フレーム
５    吸込口
６    ケーシング
７    下面
８    制御装置
９    遠心羽根車
１０  電動機
１１  天板
１２  吐出口
１３  回転軸
１４  反射テープ
１５  発光手段
１６  受光手段
１７  ブレード
１８  ブレード正圧側面
１９  主板
２０  報知手段
２１  マイコン
２２  制御装置
２３  積算手段
２４  マイコン
２５  制御装置
２６  汚れ判定手段
２７  風量測定手段
２８  マイコン
２９  制御装置
３０  汚れ判定手段
３１  操作スイッチ
３２  汚れ判定手段
【図１】
2010242627.tif 000003
【図２】
2010242627.tif 000004
【図３】
2010242627.tif 000005
【図４】
2010242627.tif 000006
【図５】
2010242627.tif 000007
【図６】
2010242627.tif 000008
【図７】
2010242627.tif 000009
【図８】
2010242627.tif 000010
【図９】
2010242627.tif 000011
【図１０】
2010242627.tif 000012
【図１１】
2010242627.tif 000013
【図１２】
2010242627.tif 000014
【図１３】
2010242627.tif 000015
【図１４】
2010242627.tif 000016